(57)【特許請求の範囲】
【請求項１】
顧客が操作する通信端末装置との間で、ネットワークを介して、ガス機器、住宅設備、及びガス機器関連商品、及び住宅設備関連商品の少なくとも１つを販売するための電子商取引制御装置を備えた電子商取引システムであって、
前記電子商取引制御装置が、
商品の購入希望の意思表示として、既設商品に関する画像データを受け付け、
受け付けた前記画像データに基づいて前記既設商品を特定すると共に、顧客が指定した購入希望商品との照合により、前記購入希望商品の販売価格、及び前記購入希望商品を設置するために必要な施工費から算出される販売見積を顧客へ提示し、提示した販売見積に対する回答として、前記購入希望商品の注文があった場合に、購入希望商品の発注を指示する、
電子商取引システム。
【請求項２】
ガス機器、住宅設備、及びガス機器関連商品、及び住宅設備関連商品の少なくとも１つを販売するための電子商取引制御装置であって、
顧客が撮影した画像データを受け付ける受付部と、
前記受付部で受け付けた前記画像データに基づいて、既設商品を特定する特定部と、
前記特定部で特定した既設商品と顧客が指定した購入希望商品との照合により、前記購入希望商品の販売価格、及び前記購入希望商品を設置するために必要となる施工費から算出される販売見積を顧客へ提示する提示部と、
前記提示部の提示に対する回答として、前記購入希望商品の注文があった場合に、購入希望商品の発注を指示する発注指示部と、
を有する電子商取引制御装置。
【請求項３】
前記画像データに含まれる文字画像を文字認識装置によりテキストデータに変換し、既設商品を特定し、特定した既設商品に対する交換可能な商品の選別を行う、請求項２記載の電子商取引制御装置。
【請求項４】
前記画像データを解析し、機械学習して、前記購入希望商品を設置するために必要となる工事及び部材の少なくとも一方を自動判断する、請求項２記載の電子商取引制御装置。
【請求項５】
前記画像データから特定された既設商品に基づき、販売実績データベースを用いて、最適商品を斡旋する、請求項２記載の電子商取引制御装置。
【請求項６】
コンピュータを、
請求項２〜請求項５の何れか１項記載の電子商取引制御装置の前記受付部、前記特定部、前記提示部、及び前記発注指示部として動作させる、
電子商取引制御プログラム。
【発明の詳細な説明】
【技術分野】
【０００１】
本発明は、顧客が操作する通信端末装置と、ネットワークを介して、ガス機器、住宅設備、及び前記ガス機器と前記住宅設備の関連商品の少なくとも１つを販売するための電子商取引制御装置と、を備えた電子商取引システム、電子商取引制御装置、電子商取引制御プログラムに関するものである。
【背景技術】
【０００２】
特許文献１には、マンションのリフォームを行う際に現場で用いられる調査シートであって、調査シートが物件外部調査票を備え、物件外部調査票が写真貼付欄を有し、写真貼付欄の欄内に参考写真等による例示部が設けられていることが記載されている。写真は、顧客が撮影するのではなく、施工業者が現場で撮影するものである。
【０００３】
特許文献２には、商品レンタルシステムにおいて、データベースにおける販売代理店から顧客に対するユーザ情報が、少なくとも顧客への依頼事項、商品及び資材の案内、近隣のメインテナンス代理店及び施工代理店の案内、レンタル契約書の見本及び契約案内、顧客の質問事項の受付案内の１以上を含み、前記顧客への依頼事項が、少なくともレンタル契約締結依頼、施工範囲打合わせ依頼、図面の提出依頼、畳厚み打合せ依頼、採寸許可依頼、現場写真撮影依頼、排水方法及び水勾配打合せ依頼、水採取依頼の１以上を含むことが記載されている。
【０００４】
顧客に依頼する事項として、現場写真撮影依頼があるが、施工を含む商品を特定するための画像データはなく、施工業者側から依頼されて撮影するものである。
【０００５】
特許文献３には、書籍に掲載されている画像を所望とする素材に印刷したカスタム商品を個別に製作して販売する商品販売システムが記載されている。書籍上の画像を、例えば、Ｔシャツやマグカップ等に印刷することを目的とした販売システムであり、画像自体が主体となる。
【０００６】
さらに、参考として、特許文献４、特許文献５、特許文献６、及び特許文献７には、ガス機器関連商品（保険等のサービスを含む）のウェブ販売システム（電子商取引）について記載されている。
【先行技術文献】
【特許文献】
【０００７】
【特許文献１】特開２００７-３０７７７０号公報
【特許文献２】特開２０１０−２０７３７号公報
【特許文献３】特開２００３−１６２６４４号公報
【特許文献４】特許第６３７８７２９号公報
【特許文献５】特許第６４１６８４２号公報
【特許文献６】特許第６５０２３０５号公報
【特許文献７】特許第６５６０７３０号公報
【発明の概要】
【発明が解決しようとする課題】
【０００８】
しかしながら、特許文献１から特許文献３に記載される従来技術は、写真を用いた様々なサービスが展開されているが、電子商取引として利用されるものではなく、対面販売に代えた商品の購入希望の意思という思想とは異なる。
【０００９】
その他、参考文献として、特許文献４、特許文献５、特許文献６、及び特許文献７等に、ガス機器関連商品（保険等のサービスを含む）のウェブ販売システム（電子商取引）について記載されているが、顧客が写真データを送信することを主体として、電子商取引については明記されていない。
【００１０】
また、参考として、本発明に類似するｗｅｂショップとして、株式会社サンリフレホールディングスの「交換できるくん」が存在する。このｗｅｂショップの画面上からは、処理の入出力はわかるが、例えば、画像データに基づき、どのような手順で処理実行されるかについては、明確ではなく、示唆もされていない。
【００１１】
本発明は、商品の購入希望を、画像に反映させて提示することで、対面販売と同等に、販売側と顧客側との意思の疎通を図ることができ、顧客が購入を希望する商品を適正、かつ迅速に販売することができる電子商取引システム、電子商取引制御装置、電子商取引制御プログラムを得ることが目的である。
【００１２】
また、上記目的に加え、画像に含まれる文字画像をテキストデータに変換し、自動的に機種等を識別することができる電子商取引システム、電子商取引制御装置、電子商取引制御プログラムを得ることが目的である。
【課題を解決するための手段】
【００１３】
本発明に係る電子商取引システムは、顧客が操作する通信端末装置との間で、ネットワークを介して、ガス機器、住宅設備、及びガス機器関連商品、及び住宅設備関連商品の少なくとも１つを販売するための電子商取引制御装置を備えた電子商取引システムであって、前記電子商取引制御装置が、商品の購入希望の意思表示として、既設商品に関する画像データを受け付け、受け付けた前記画像データに基づいて前記既設商品を特定すると共に、顧客が指定した購入希望商品との照合により、前記購入希望商品の販売価格、及び前記購入希望商品を設置するために必要な施工費から算出される販売見積を顧客へ提示し、提示した販売見積に対する回答として、前記購入希望商品の注文があった場合に、購入希望商品を発注する、ことを特徴としている。
【００１４】
本発明によれば、電子商取引制御装置は、通信端末装置から、商品の購入希望の意思表示として、既設商品に関する画像データを受け付ける。
【００１５】
電子商取引制御装置では、受け付けた画像データに基づいて既設商品を特定すると共に、顧客が指定した購入希望商品との照合により、購入希望商品の販売価格、及び購入希望商品を設置するために必要な施工費から算出される販売見積を顧客へ提示し、提示した販売見積に対する回答として、購入希望商品の注文があった場合に、購入希望商品を発注する。
【００１６】
これにより、商品の購入希望を、画像データに反映させて提示することで、対面販売と同等に、販売側と顧客側との意思の疎通を図ることができ、顧客が購入を希望する商品を適正、かつ迅速に販売することができる。
【００１７】
本発明に係る電子商取引制御装置は、ガス機器、住宅設備、及びガス機器関連商品、及び住宅設備関連商品の少なくとも１つを販売するための電子商取引制御装置であって、顧客が撮影した画像データを受け付ける受付部と、前記受付部で受け付けた前記画像データに基づいて、既設商品を特定する特定部と、前記特定部で特定した既設商品と顧客が指定した購入希望商品との照合により、前記購入希望商品の販売価格、及び前記購入希望商品を設置するために必要となる施工費から算出される販売見積を顧客へ提示する提示部と、前記提示部の提示に対する回答として、前記購入希望商品の注文があった場合に、購入希望商品を発注する発注部と、を有している。
【００１８】
本発明によれば、受付部は、顧客が撮影した画像データを受け付ける。
【００１９】
特定部は、受付部で受け付けた画像データに基づいて、既設商品を特定する。
【００２０】
提示部は、特定部で特定した既設商品と顧客が指定した購入希望商品との照合により、購入希望商品の販売価格、及び購入希望商品を設置するために必要となる施工費から算出される販売見積を顧客へ提示する。
【００２１】
発注部は、提示部の提示に対する回答として、購入希望商品の注文があった場合に、購入希望商品を発注する。
【００２２】
これにより、商品の購入希望を、画像データに反映させて提示することで、対面販売と同等に、販売側と顧客側との意思の疎通を図ることができ、顧客が購入を希望する商品を適正、かつ迅速に販売することができる。
【００２３】
本発明において、前記画像データに含まれる文字画像を文字認識装置によりテキストデータに変換し、既設商品を特定し、特定した既設商品に対する交換可能な商品の選別を行うことを特徴としている。
【００２４】
顧客が購入希望商品を注文するときの煩わしさを解消することができる。
【００２５】
本発明において、前記画像データを解析し、機械学習して、前記購入希望商品を設置するために必要となる工事及び部材の少なくとも一方を自動判断することを特徴としている。
【００２６】
熟練者により判定していた要件を自動判断することで、作業効率を向上することができる。
【００２７】
本発明において、前記画像データから特定された既設商品に基づき、販売実績データベースを用いて、最適商品を斡旋することを特徴としている。
【００２８】
顧客が、膨大な商品数から選択しなくても、購入希望商品となり得る候補を斡旋することができる。
【００２９】
本発明に係る電子商取引制御プログラムは、コンピュータを、上記の電電子商取引制御装置の前記受付部、前記特定部、前記提示部、及び前記発注指示部として動作させる、ことを特徴としている。
【発明の効果】
【００３０】
本発明によれば、商品の購入希望を、画像データに反映させて提示することで、対面販売と同等に、販売側と顧客側との意思の疎通を図ることができ、顧客が購入を希望する商品を適正、かつ迅速に販売することができるという効果を奏する。
【００３１】
また、上記効果に加え、画像データに含まれる文字画像をテキストデータに変換し、自動的に機種等を識別することができる。
【図面の簡単な説明】
【００３２】
【図１】本実施の形態に係る電子商取引システムの概略構成図である。
【図２】本実施の形態に係る顧客通信端末装置、商品取引サーバー、商品管理サーバー、及び施工業者通信端末装置との間で実行される通信手順フロー図である。
【図３】顧客が撮影デバイスで撮影した画像の一例であり、（Ａ）はコンロとその周辺を撮影した画像、（Ｂ）はコンロが置かれているキャビネット内のガス配管部分を撮影した画像、（Ｃ）はコンロの型番等が記載されているシールを撮影した画像である。
【発明を実施するための形態】
【００３３】
図１は、本実施の形態に係る電子商取引システムの概略構成図である。
【００３４】
本実施の形態に係る電子商取引システムは、所謂ウェブショップであり、ガスに紐付けられた設備、生活雑貨、オリジナルグッズ、及びサービスを対象としている。特に、本実施の形態は、ガス機器、住宅設備、前記ガス機器の関連商品、及び住宅設備の関連商品を販売する場合の、ネットワーク１０を介した通信プロトコルを構築した。
【００３５】
図１に示される如く、ネットワーク１０には、複数の顧客通信端末装置１２、商品取引サーバー１４、商品管理サーバー１６、及び複数の施工業者通信端末装置１８が接続されている。なお、図１では、商品取引サーバー１４と商品管理サーバー１６とがネットワーク１０を介して連携するように図示しているが、商品取引サーバー１４とは別の端末装置（図示省略）から、別の通信手段を介して商品管理サーバー１６にアクセスして、商品の注文等を行う構成であってもよい。
【００３６】
顧客通信端末装置１２は、所謂買い手である顧客が所持しており、スマートホンやタブレット等の携帯可能な端末装置でもよいし、ＰＣ（パーソナルコンピュータ）等の基本は定位置のある端末装置であってもよい。また、図１ネットワーク１０への接続では、有線通信を想定しているが、無線通信であってもよい。
【００３７】
図１に示される如く、顧客通信端末装置１２は、処理デバイス及び記憶デバイス、入出力デバイス、及びこれらを接続するデータバスやコントロールバス等のバスを備え（それぞれ図示省略）、例えば、記憶デバイスに記憶されたアプリケーションプログラムを処理デバイスで実行させることで、アプケーションを動作させる機能を有している。
【００３８】
入出力デバイスには、撮影デバイス１２Ａが接続されている。撮影デバイス１２Ａでは、例えば、顧客の住宅に設置されているガス関連設備等を撮影するのに利用される（詳細後述）。なお、撮影デバイス１２Ａに変えて、入出力デバイスに、デジタルカメラ等で撮影した画像データを保存したＩＣメモリが接続可能なポートを設けるようにしてもよい。また、ＷｉＦｉ及びBluetooth（登録商標）等の無線通信で、別個体のデジタルカメラ等で撮影した画像データを取り込むようにしてもよい。
【００３９】
ところで、顧客は、本実施の形態の電子商取引システムを利用して、商品を購入しようとする場合、まず、顧客通信端末装置１２を操作して、商品取引サーバー１４へアクセスすることで、ウェブショップの画面を表示させることが前提となる。なお、商品取引サーバー１４へのアクセスは、予め、登録が必要な場合もある。登録によって、商品取引サーバー１４では、顧客の個人情報を把握しており、商品の販売、配達等の作業の迅速化を図ることができる。
【００４０】
なお、商品取引サーバー１４において、顧客の登録は必須ではなく、所謂オープンのウェブショップとしておき、商品取引毎に、必要最小限の個人情報を受けるようにしてもよい。
【００４１】
商品取引サーバー１４は、各種商品を販売元から委託されて、顧客（顧客通信端末装置１２）、商品販売元（商品管理サーバー１６）、及び施工業者（施工業者通信端末装置１８）の間で、商品を販売するための一連の処理が実行される。
【００４２】
ここで、本実施の形態では、主として、施工が必要な商品（ガス関連設備）を対象した商品取引に特化している。
【００４３】
家庭で使用し、かつ、施工が必要なガス関連設備としての具体例としては、コンロ（ビルトインコンロ）、食洗機、レンジフード等が挙げられ、商品の購入に加え、作業者が現場に出向き、既存の設備の取り外し、購入商品の設置、及びガス配管作業等の施工作業が必要である。
【００４４】
このため、顧客がウェブショップの画面から、購入したい商品があった場合、当該商品を選択すると共に、施工作業の見積を、商品取引サーバー１４へ申し込むことになる（見積申し込み）。
【００４５】
本実施の形態では、この見積申し込みの際に、顧客が撮影デバイス１２Ａを用いて撮影した、施工の場所の画像データを、商品取引サーバー１４へ送信するようになっている。
【００４６】
送信する画像データの一例としては、購入商品がコンロの場合は、当該コンロとその周辺を撮影した画像データ（一例として、図３（Ａ）に示す画像２０の画像データ）、コンロが置かれているキャビネット内のガス配管部分を撮影した画像データ（一例として、図３（Ｂ）に示す画像２２の画像データ）、コンロの型番等が記載されているシールを撮影した画像データ（一例として、図３（Ｃ）に示す画像２４の画像データ）等が挙げられる。
【００４７】
商品（及び施工）の見積を受けた商品取引サーバー１４では、受信した画像データに基づいて、施工作業の見積を提示する。なお、画像データに基づいて表示部等に表示される画像を目視しただけでは、施工作業の見積計算ができない場合は、従来通り、現地に出向いて、見積することになる。本実施の形態では、画像データに基づいて、施工作業の見積計算ができることを前提とする。
【００４８】
商品管理サーバー１６は、商品取引サーバー１４からの商品の発注を受けて、商品を調達し、施工業者通信端末装置１８から商品要求を受けて、商品を発送する。なお、商品の発注は、施工業者が施工依頼後に行うようにしてもよい。
【００４９】
また、商品取引サーバー１４は、顧客通信端末装置１２との間で、注文、代金支払いの各処理が実行されると、施工業者通信端末装置１８へ、施工依頼を実行する。なお、代金支払いは、施工作業時、施工作業後等でもよい。
【００５０】
この時点で、顧客通信端末装置１２は、施工業者通信端末装置１８とのアクセスに切り替えられ、施工日程調整処理が実行される。なお、施工日程調整処理は、ネットワーク１０を介さない方法で行われてもよい。
【００５１】
施工業者による施工が実施されると、施工業者通信端末装置１８は、商品取引サーバー１４へアクセスし、施工完了報告を実行することで、手数料の支払い処理が実行される。
【００５２】
このような、顧客通信端末装置１２、商品取引サーバー１４、商品管理サーバー１６、及び施工業者通信端末装置１８との間での通信による商品取引では、顧客が撮影した画像データが有効に利用されており、例えば、注文する商品の適合性（ガス種、設置位置等）の判断、施工作業の見積、施工日程調整等の処理を迅速に行うことが可能となる。
【００５３】
以下に、本実施の形態の作用を、図２に示す顧客通信端末装置１２、商品取引サーバー１４、商品管理サーバー１６、及び施工業者通信端末装置１８との間の通信手順フローを用いて説明する。
【００５４】
まず、通信手順に入る前に、顧客は、購入する商品を取り付ける場所の画像を、撮影デバイス１２Ａを用いて撮影する。
【００５５】
例えば、既存のコンロを交換するような場合は、当該既存のコンロとその周辺を撮影した画像データ、コンロが置かれているキャビネット内のガス配管部分を撮影した画像データ、コンロの型番等が記載されているシールを撮影した画像データ等が挙げられる。
【００５６】
次いで、顧客は、顧客通信端末装置１２を操作して、商品取引サーバー１４へアクセスし、ウェブショップの画面を表示させる。
【００５７】
ウェブショップの画面の適宜ページで、コンロを交換するための見積を申し込む（ステップ１００）。このとき、撮影デバイス１２Ａで撮影した画像データを送信する。
【００５８】
商品取引サーバー１４では、見積申し込みを受けると、画像データに基づいて、施工作業の見積もりを行う。
【００５９】
見積もりは、今回受信した画像データに基づき、必要な施工作業を特定し、見積もりを策定する。なお、例えば、過去の施工作業履歴データと、今回受信した画像データとの照合によって、類似する施工作業を検索し、見積もりを策定する。
【００６０】
商品取引サーバー１４は、顧客通信端末装置１２に対して、商品代金を含め、策定した見積代金を提示する（ステップ１０２）。
【００６１】
この見積代金の提示は、例えば、対面販売であれば、商品の注文を受けてから、都合のよい日時に、見積もり担当者が顧客宅まで出向き、作業現場を確認して策定するため、手間と労力がかかっていた。
【００６２】
これに対して、本実施の形態では、全ての処理（注文から見積もり策定まで）を、互いの距離に拘わらず行うことができるため、顧客にとっても商品販売元にとっても、利便性が向上する。
【００６３】
顧客は、見積もりの提示を受けて注文する（ステップ１０４）。当然、折り合いがつかず、注文を断念する場合もある。
【００６４】
顧客は、注文した後は、見積もりに基づく代金を支払う（ステップ１０６）。ここでは、代金の支払いも電子取引としたが、例えば、振り込み、施工作業時払い、施工作業後払い等であってもよい。
【００６５】
商品取引サーバー１４では、代金の受け取りを確認すると（ステップ１０８）、商品管理サーバー１６に対して商品を発注する（ステップ１１０）と共に、施工業者通信端末装置１８に対して、施工を依頼する（ステップ１１２）。なお、商品の発注は、施工業者端末装置１８が施工依頼を受けた後に、商品管理サーバー１６へ発注するようにしてもよい。
【００６６】
施工業者通信端末装置１８は、顧客通信端末装置１２にアクセスして、施工日程を調整する（ステップ１１４、１１６)。
【００６７】
なお、施工日程調整処理は、ネットワーク１０を介さない方法で行われてもよい。
【００６８】
商品管理サーバー１６では、施工業者通信端末装置１８に対して、施工日時までに商品を発送する（ステップ１２０）。
【００６９】
その後、施工業者は、施工日時に顧客宅へ出向き、施工作業を実施する。
【００７０】
施工作業が完了すると、施工業者通信端末装置１８は、商品取引サーバー１４に対して、施工完了報告を通知する（ステップ１２２）。この通知を受けて、商品取引サーバー１４は、施工業者通信端末装置１８に対して、手数料の支払いを実行する（ステップ１２４）。なお、手数料の支払いは、実際の金銭の動きである必要はなく、電子手形、仮想通貨等を用いてもよい。
【００７１】
以上説明したように本実施の形態では、顧客が、施工作業が必要な商品を注文する際に、商品を設置する場所（既存商品と交換する場合は、既存商品を含むその周辺）、ガス配管の状態、既存商品の識別情報を撮影デバイス１２Ａで撮影し、見積依頼と共に、商品取引サーバー１４へ送ることで、商品取引サーバー１４では、現場に出向くことなく、商品の適合性、及び施工作業の見積もり等を策定し、ネットワーク１０を介して通知することができる。この見積もりの提示を含め、ほとんどの処理（注文、代金支払い、施工日時調整といった処理）が迅速に行われる。
【００７２】
なお、本実施の形態では、商品の取引を行う商品取引サーバー１４と、商品そのものを仕入れ、保管、配送を管理する商品管理サーバー１６とを区別したが、同一のサーバーであってもよい。
【００７３】
また、本実施の形態では、顧客通信端末装置１２から商品取引サーバー１４へ送信された画像データは、商品取引サーバー１４側の表示部に画像を表示し、オペレータが目視で判断するようにしたが、例えば、画像の中文字画像をＯＣＲ（光学読取装置）で読み取ることで、例えば、既存の商品の機種、型式、製造番号等を特定することができ、既存商品が取り付けられた位置に、大掛かりな工事を行うことなく交換可能な新商品を自動的に選択するといった、商品選択の一部自動化が可能となる。
【００７４】
さらに、画像データを解析し、ＡＩ技術（過去の施工作業を記録したビッグデータ）に基づき、新旧の商品交換時の隙間補填部材の要否、ガス栓連結のための補助部材の要否、及び工事そのものの要否を自動判断し、顧客に通知するようにしてもよい。この場合、商品取引サーバー１４におけるオペレータの作業が軽減される。
【００７５】
ＡＩ技術のさらなる利用形態として、撮影された既存の商品の機種等に基づき、販売実績ビッグデータ等に基づいて、プッシュ通知等を用いて、最適商品を斡旋するようにしてもよい。
【符号の説明】
【００７６】
１０    ネットワーク
１２    顧客通信端末装置（通信端末装置）
１４    商品取引サーバー（受付部、特定部、提示部、発注部）
１６    商品管理サーバー
１８    施工業者通信端末装置
１２Ａ    撮影デバイス
２０、２２、２４    画像
【要約】
【課題】商品の購入希望を、画像データに反映させて提示することで、対面販売と同等に、販売側と顧客側との意思の疎通を図ることができ、顧客が購入を希望する商品を適正、かつ迅速に販売する。
【解決手段】客が、施工作業が必要な商品を注文する際に、商品を設置する場所（既存商品と交換する場合は、既存商品を含むその周辺）、ガス配管の状態、既存商品の識別情報を撮影デバイス１２Ａで撮影し、見積依頼と共に、商品取引サーバー１４へ送ることで、商品取引サーバー１４では、現場に出向くことなく、商品の適合性、及び施工作業の見積もり等を策定し、ネットワーク１０を介して通知することができる。この見積もりの提示を含め、ほとんどの処理（注文、代金支払い、施工日時調整といった処理）が迅速に行われる。
【選択図】図２【図１】
0006797322.tif 000002
【図２】
0006797322.tif 000003
【図３】
0006797322.tif 000004